(57)【特許請求の範囲】
【請求項１】
遊技機の前面に遊技用の球やコイン等を貯留する受皿を装着し、該受皿に灰皿収容凹部を設けると共に該灰皿収容凹部に灰皿を収容するようにした遊技機において、
前記灰皿を上下に２分割して煙草の灰等を入れる凹窪状の灰皿部と飲料用容器等を載せる受皿状の載置台とから構成し、前記灰皿部を載置台上面に着脱自在に取着し、灰皿部を取着した灰皿使用可能状態と灰皿部を外した灰皿使用不能状態とに自在に変換できるようにしたことを特徴とする遊技機。
【請求項２】
遊技機の前面に遊技用の球やコイン等を貯留する受皿と灰皿収容凹部を有する灰皿保持部材とをそれぞれ別個に装着し、灰皿保持部材の灰皿収容凹部に灰皿を収容するようにした遊技機において、
前記灰皿を上下に２分割して煙草の灰等を入れる凹窪状の灰皿部と飲料用容器等を載せる受皿状の載置台とから構成し、前記灰皿部を載置台上面に着脱自在に取着し、灰皿部を取着した灰皿使用可能状態と灰皿部を外した灰皿使用不能状態とに自在に変換できるようにしたことを特徴とする遊技機。
【発明の詳細な説明】
【０００１】
【発明の属する技術分野】
本発明は、遊技機の前面に喫煙者のための灰皿を設けた遊技機に関するものである。
【０００２】
【従来の技術】
従来、遊技機の一種であるパチンコ遊技機の前面には打球供給皿とその下方に位置し該打球供給皿からの余剰球を貯留するための受皿とが装着され、該受皿にはその一側に灰皿収容凹部が設けられると共に該灰皿収容凹部に喫煙する遊技者のための灰皿が収容されている。
【０００３】
ところで、近時、煙草の害が叫ばれる中、遊技者にも禁煙者，嫌煙者が増加している。これに対し、一般のパチンコホールの島台に設置される各パチンコ遊技機には、灰皿が常時使用可能な状態で設けられているので、例えば喫煙者と禁煙者が隣り合わせになると、煙草の煙りが禁煙者の鼻を付き禁煙者は不快感を味わい心地良く遊技を楽しむことができなくなり、これがパチンコホールのサービス面においてマイナスの要因になるという憂慮すべき事態が生じていた。そこで、パチンコ遊技機の設置島に禁煙コーナーを設けたり、または全館禁煙にし、喫煙者のためには特別に喫煙場所を設けたパチンコホールが出現している。
【０００４】
ところが、前記パチンコホールにあっては、禁煙コーナーなど禁煙者のためのパチンコ遊技機に本来不用な灰皿が設けられていることになるので、ともすると喫煙者が間違って煙草を吸いながら遊技をするおそれが有り、できれば灰皿を無くし、更にその空いたスペースを有効利用した受皿を製造するようにしても良いが、灰皿の有・無という２種類の受皿を別々に製造することは金型費が嵩むばかりか、製品管理も繁雑になるという課題が残る。
【０００５】
これら事情を考慮して、例えば特開平８−１３１６３５号公報に開示される如く、パチンコ遊技機に備えられた灰皿を使用可能状態と使用不能状態とに簡単に変換できるパチンコ遊技機が発明されている。該パチンコ遊技機は、その前面の上下部に打球発射部へパチンコ球を供給するための打球供給皿と該打球供給皿から溢れたパチンコ球を貯留する受皿とが装着されている。そして、受皿の一側に灰皿収容凹部が設けられると共に該灰皿収容凹部に灰皿が収容されている。
【０００６】
更に、詳しくは前記灰皿は左右両側で軸支され前方へ回動自在に設けられており、煙草の灰を受ける灰受け凹部が上向きに開放した灰皿使用可能状態と灰受け凹部が下向きに開放した灰皿使用不能状態とが共に保持固定できるようになっている。また、灰皿の底部裏面には飲料用の紙コップを載置可能な容器受け凹部が設けられ、灰皿を回動させて灰皿使用不能状態に変換させたときは、付加価値を付けるため紙コップなど飲料用容器を置けるようになっている。
【０００７】
【発明が解決しようとする課題】
しかしながら、前記パチンコ遊技機では、灰皿を回動して灰受け凹部が下向きに開放した灰皿使用不能状態に変換し、その底面の容器受け凹部に飲料用容器を置く場合、灰皿両側の軸支部がほぼ中間高さ位置に有り、しかも底面が受皿の上面と面一となるため勢い容器受け凹部とその上方に装着される打球供給皿間のスペースが狭くなり、丈の高い飲料用容器であるとその上縁が打球供給皿に当り容器受け凹部に載せることができなくなたっり、仮にできたとしても載せずらく、また打球供給皿に上縁が接近すると遊技者に不潔感を与えるおそれが有る。しかも、容器受け凹部の上面に載せられた飲料用容器は周囲を何ら支持されないので、遊技に夢中になる余り不用意に飲料用容器に触れて転倒させ中身を零してしまうといったおそれも有る。
【０００８】
このため、打球供給皿の一側、すなわち容器受け凹部の上方部位に相当する部分を飲料用容器が当らないように狭めることも考えられるが、このようにすると打球供給皿のパチンコ球貯留部の容積が減少し、これに伴い貯留されるパチンコ球数も減少することとなり遊技上好ましくないばかりか、打球供給皿の外観形状に制約が加えられることとなり、遊技者の目を引くような漸新で自由なデザイン設計が行なえなくなる。そこで、他の手段として灰皿両側の軸支部を下部に位置させ、灰皿を回動させたときその底面が受皿上面より下方に位置させることも考えられるが、その分受皿より灰皿が下方へ突出することとなる。この状態では、例えば受皿に貯留されるパチンコ球を球抜きするための球箱を配置する際、該球箱が灰皿に当り所望の位置に配置できないおそれが生ずる。
【０００９】
更に加えれば、灰皿は受皿の灰皿収容凹部内に回動自在に収容されるので、灰皿を回動して灰皿使用不能状態とした場合、受皿全体の見栄えが損なわれないようにするため灰皿の底面と受皿上面とが面一となり、しかも灰皿と灰皿収容凹部との間に余分な隙間が生じないようにする必要が有ることから、必然的に受皿の外観形状に制約が加えられ、前記と同様受皿の自由なデザイン設計が行なえなくなる。
【００１０】
仮に、灰皿と受皿とを分離したとしても、前記飲料用容器を載せたときの課題、打球供給皿のデザイン上の課題などは解決されず、しかも灰皿のデザイン上の課題も残ることとなる。
【００１１】
そこで、本発明はこれら多くの課題を解決すべくなされたもので、灰皿使用可能状態と灰皿使用不能状態とに自在に変換できるばかりか、灰皿が受皿に組み込まれていても、または別体として形成されていても、灰皿の底部に飲料用容器が容易に載置でき、不用意に転倒して中身を零すおそれもなく、更に、打球供給皿、受皿の自由なデザイン設計が行なえるようにした遊技機を提供することを目的とするものである。
【００１２】
【課題を解決するための手段】
かかる目的を達成するため、本発明の遊技機は遊技機の前面に遊技用の球やコイン等を貯留する受皿を装着し、該受皿に灰皿収容凹部を設けると共に該灰皿収容凹部に灰皿を収容するようにした遊技機において、前記灰皿を上下に２分割して煙草の灰等を入れる凹窪状の灰皿部と飲料用容器等を載せる受皿状の載置台とから構成する。そして、前記灰皿部を載置台上面に着脱自在に取着できるようにする。そこで、灰皿部を載置台上面に取着すれば、通常の灰皿として使用でき、灰皿部を外せば載置台が露出し飲料用容器等が載せられるようになる。このように、灰皿を回転させることなく灰皿部を外すのみで灰皿使用可能状態と使用不能状態とに変換できるようにしたので、灰皿部を外して灰皿使用不能状態とした場合、載置台が受皿の上面より下方に位置していることから、打球供給皿との間には充分なスペースが確保でき、しかも載置台の周囲３方向は灰皿収容凹部に囲われるので、載置台上面に飲料用容器が置き易く不潔感もなく、不容易に触れても灰皿収容凹部に保持され転倒しにくくなる。なお、前記灰皿部は灰皿使用不能状態にあっては邪魔にならない個所にビス止めにより固定される。
【００１３】
また、灰皿の底面に飲料用容器を載せても打球供給皿の当るようなことがないので、打球供給皿の自由なデザイン設計ができ、更に受皿のデザイン設計も同様に行なえることとなる。
【００１４】
因に、遊技機の前面に遊技用の球やコイン等を貯留する受皿と灰皿とをそれぞれ別個に設けた遊技機であっても良い。
【００１５】
【発明の実施の形態】
以下、本発明に係る遊技機の実施の形態を図面に基づき説明する。なお、遊技機としてはパチンコ遊技機，アレンジボール遊技機，スロットルマシン等が有るが、本発明ではその一例としてパチンコ遊技機について説明する。図１はパチンコ遊技機の要部の斜視図、図２は同灰皿を分解して示す要部の拡大斜視図である。図中、１はパチンコ遊技機Ａの機枠、２は該機枠１の前面に開閉自在に取着される前面枠、３は遊技盤（図示せず。）の上方部分を覆うガラス扉枠、４は遊技盤の下部部分を覆う前板であって、その前面にパチンコ球を１個ずつ打球発射装置（図示せず。）の発射位置へ供給するための打球供給皿５が装着されている。また、前記前面枠２の下部には打球供給皿５から溢れるパチンコ球を貯留する受皿６が装着されている。
【００１６】
前記受皿６は合成樹脂により上面が前方へ向って下傾すると共に両側が曲面になる自由なデザインに形成される。そして、該受皿６の中央よりやや右寄りにパチンコ球を溜める貯留部７が設けられる。また、その一側には灰皿収容凹部８が設けられると共に、該灰皿収容凹部８に灰皿９が収容されている。該灰皿９は上下に２分割して形成され、上部に位置し煙草の灰等を入れるため耐熱性樹脂により形成された灰皿部１０と、下部に位置し飲料用容器を載せる受皿状の載置台１１とからなる。なお、該載置台１１は受皿６と同じく合成樹脂により形成されている。
【００１７】
更に詳しくは、前記灰皿部１０は図３に示されるようにその上面が受皿６の上面と同一面となるように前方へ向って下傾すると共に煙草の灰等を受けるため上面が開放される窪部１２を有し、下面のほぼ中央には螺子孔１３を穿設した取付筒１４が突設され、後端下縁部の中央に螺子が挿通される挿通孔１５を開設した保持片１６が設けられている。
【００１８】
また、載置台１１は前記灰皿部１０の下面に合致し得る大きさからなり、底壁１１ａ上面に飲料用容器の底部が嵌り込む円環状の保持枠１７が設けられる。該保持枠１７内の底壁１１ａ上面は、中央に向って漸次低く傾斜するように形成され、その中央に前記取付筒１４に対向位置する通孔１８が開設されている。更に、後側壁１１ｂの後面中央部に螺子孔１９が設けられる。そこで、灰皿部１０の下面に載置台１１の上面を合致させ、その下側から通孔１８を介して螺子孔１３に螺子２０を螺合することにより灰皿９が一体に組み立てられる。２１，２１は灰皿９両側の前側下部に突設される回動軸である。
【００１９】
一方、前記灰皿収容凹部８は図２に示されるように左・右の支持部壁８ａ，８ｂと後支持部壁８ｃとにより前面側が開口した平面コ字型の凹部として形成され、左右の支持部壁８ａ，８ｂにそれぞれ前記灰皿９の両回動軸２１，２１が嵌合する軸受部２２，２２が設けられている。また、後支持部壁８ｃには、該後支持部壁８ｃに収納される灰皿９の後面中央に設けられた螺子孔１９に対応位置する螺子挿通孔２３が開設される。２４は灰皿９の後端部を受け止め該灰皿９を水平に支持するための支持板部である。前面枠２には図３に示すように灰皿収容凹部８の後支持部壁８ｃに対応させてほぼ同じ大きさの透口２５が開設されている。
【００２０】
本発明のパチンコ遊技機Ａは上記構成よりなり、パチンコ遊技機Ａを従来の喫煙者用として使用する場合、前記灰皿９を灰皿収容凹部８内に配置し、その両側の回動軸２１，２１を各軸受部２２，２２に嵌合すると共に後端部を支持板部２４で支持させる。この状態では、灰皿９の上面が受皿６の上面と面一となりしかも底面も受皿６の底面と面一となる。そして、灰皿９が図３鎖線に示されるように前方へ自在に回動できることとなり、窪部１２の上面が開放され灰皿使用可能状態となる。
【００２１】
これに対し、パチンコ遊技機Ａを禁煙者用として使用する場合は、載置台１１の裏側から螺子２０を外して灰皿部１０を載置台１１から取り外す。そして、図４に示されるように前面枠２を開放し、該前面枠２の裏側に灰皿部１０を前後逆向きにして配置させ、該灰皿部１０の後側壁１０ａを透口２５を介して灰皿収容凹部８の後支持部壁８ｃの裏面に当接させる。この状態で、前面枠２の裏側から挿通孔１５及び螺子挿通孔２３を介して螺子孔１９に螺子２０を螺締して灰皿部１０を保持固定する。これにより、灰皿使用不能状態となり、同時に載置台１１が露呈して図４鎖線に示されるように飲料用容器Ｃをその上面に置くことができるようになる。
【００２２】
この際、載置台１１は受皿６の上面より下方に位置するので、該載置台１１とその上方の打球供給皿５との間のスペースが充分に確保され、飲料用容器Ｃを載置台１１上面に置き易く、しかも打球供給皿５が邪魔になることもない。また、飲料用容器Ｃはその周囲３方を灰皿収容凹部８で囲われるので転倒しにくく、仮に飲料用容器Ｃの中味が保持枠１７内に零れても、底壁１１ａ上面が中央の通孔１８に向って傾斜しているので、該通孔１８から排出され、底壁１１ａ上面に残るようなこともない。
【００２３】
このように、灰皿９を上下に位置する灰皿部１０と載置台１１との２部材により構成し、灰皿を回転させることなく灰皿部１０を外すのみで灰皿使用可能状態と灰皿使用不能状態とに変換できるようにしたので、灰皿の形状に関係なく受皿６のデザインが自由に設計できる。また、透口２５は、灰皿収容凹部８の後支持部壁８ｃにより塞がれるので、そこから釘金等を差し込んで行なわれる不正行為が防止される。なお、前記載置台１１は飲料用容器Ｃを載置するものとして形成されているが、他にコインやカードを置くように形成したものであっても良い。また、灰皿使用不能状態では、それを遊技者に知られるため図５に示されるように前記後支持部壁８ｃの前面にシールやスタンプ等で禁煙マークＭを付すようにしても良く、更に載置台１１の上面に飲料用容器Ｃが置けることを遊技者に知らせるため図６に示されるようにカップホルダーの文字Ｈを付すようにしても良い。
【００２４】
図７，図８は他の実施の形態を示すもので、灰皿部１０の後端下縁部の中央に螺子挿通孔２７を開設した保持片１６が設けられ、載置台１１の後側壁１１ｂの後面中央部にも螺子挿通孔２８が設けられる。また灰皿収容凹部８の後支持部壁８ｃ部位に透口２５に連なる通口２９が開設され、該後支持部壁８ｃの中央に螺子孔３０が設けられている。そして、図７に示されるように灰皿部１０底面の螺子孔１３に挿通孔１８を介して螺子２０を螺締することにより灰皿使用可能状態となる。一方、灰皿使用不能状態とするときは、前記螺子２０を外し、灰皿部１０を前後逆向きにして前面枠２の前側から通口２９及び透口２５を介して後側へ移動させ、図８に示されるように灰皿部１０と載置台１１とにそれぞれ設けられた螺子挿通孔２７，２８に螺子２０を挿通すると共に灰皿収容凹部８の後支持部壁８ｃに設けられた螺子孔３０に螺締する。これにより灰皿部１０が保持固定される。この際、灰皿部１０が前面枠２の前側から螺子２０止めできるので、前面枠２を開放することなく固定でき至便である。このため、保持枠１７は図８に示されるようにその上面が後方へ下傾して螺子２０止め作業が容易に行なえるようにしている。
【００２５】
図９，図１０も他の実施の形態を示すもので、灰皿部１０の前端下縁部に係合凹部３１が設けられ、後端下縁部には螺子孔３２が設けられる。一方、載置台１１の前端上縁部に前記係合凹部３１に対向位置する係合爪３３が設けられ、後端上縁部に前記螺子孔３２に対向位置する螺子挿通孔３４が設けられる。そして、前記係合爪３３を係合凹部３１に係合させ、更に螺子挿通孔３４を介して螺子孔３２に螺子２０を螺締することにより灰皿９が一体に組み付けられる。これにより灰皿使用可能状態となる。また、灰皿収容凹部８の後支持部壁８ｃに通口２９が開設されると共に螺子孔３２に対向位置して後支持部壁８ｃに螺子挿通孔３５が設けられている。そして、前記螺子２０を外し灰皿部１０を前後逆向きにして開放された前面枠２の裏側から透口２５内に差し込み、前面枠２の前側から載置台１１と灰皿収容凹部８に設けられた螺子挿通孔３４，３５を介して螺子孔３２に螺子２０を螺締することにより灰皿部１０が保持固定され、これにより図１０に示されるように灰皿使用不能状態となる。このように、灰皿部１０の螺子孔３２を灰皿使用可能・不能両状態で併用できるようにすることにより、構造が簡素化される。
【００２６】
図１１，図１２も他の実施の形態を示すもので、灰皿部１０の前後端下縁部の中央にそれぞれ螺子孔３６，３７を設け、載置台１１の後側壁１１ｂの後端上縁部に螺子孔３７に連通する螺子挿通孔３８が設けられる。そして、螺子挿通孔３８を介して螺子孔３７に螺子２０を螺締することにより灰皿９が一体に組み付けられ灰皿使用可能状態となる。また、灰皿部１０の後側壁１０ａ上縁部後面に突出部３９が設けられ、灰皿部１０が灰皿収容凹部８内に収容されたとき、該突出部３９が灰皿収容凹部８の後支持部壁８ｃに設けられた嵌合凹部４０に嵌合される。後支持部壁８ｃは両側及び下側部が切除されて弾力性を有し、突出部３９が嵌合凹部４０にその弾力性に抗して嵌合するようになっている。これにより、灰皿９の使用可能状態において、不用意に手などを触れても灰皿９が容易に回転するようなことがなく、煙草の吸殻や灰が無用に落ることが防止される。
【００２７】
また、前記螺子２０を外し灰皿部１０をそのまま開放された前面枠２の裏側に配置してその前側を透口２５内に差し込み、前面枠２の前側から螺子挿通孔３８を介して螺子孔３６に螺子２０を螺締することにより図１２に示されるように灰皿使用不能状態とすることができる。
【００２８】
なお、いずれの他の実施の形態に係る場合も、本実施の形態と同一部位は同一符号を付することにより説明は省略した。
【００２９】
図１３も他の実施の形態に係るパチンコ遊技機を示すもので、該パチンコ遊技機Ｂにあっては灰皿９と受皿６ａとを分離したものである。すなわち、前面枠２下部に受皿６ａが装着され、その一側に灰皿保持部材４１が装着されている。該灰皿保持部材４１には本実施の形態と同様に灰皿収容凹部８が形成され、該灰皿収容凹部８内に灰皿９が収容される。該灰皿９は前記各実施の形態に係るものがいずれも適用でき、その作用も同じなので説明は省略する。このように、灰皿９と受皿６ａを分離した遊技機であっても、灰皿保持部材４１を含め灰皿９のデザイン設計が自由に行なえる。
【００３０】
【発明の効果】
本発明に係る遊技機は上記構成よりなるものであり、請求項１については次のような効果を有する。
▲１▼灰皿部を外して灰皿使用不能状態とした場合、載置台が受皿の上面より下方に位置することから、打球供給皿との間に充分なスペースが確保でき、しかも載置台の周囲３方向は灰皿収容凹部に囲われるので、載置台上面に飲料用容器等が置き易いと共に不潔感を遊技者に与えることもなく、また不用意に飲料用容器に触れても灰皿収容凹部に保持されて、転倒しにくくなるという効果を有する。
▲２▼また、載置台上面に飲料用容器を載置しても、打球供給皿が邪魔になることがないので、該打球供給皿の外観形状に制約が加えられることがなく、自由なデザイン設計が行なえる。
▲３▼更に、灰皿は受皿の下面から下方へ突出するようなことがないので、受皿の下に支障なく球箱を配置することができる。
▲４▼更にまた、灰皿部を載置台上面に着脱自在に取着するようにしたので、従来の如く灰皿を回転させる必要がないことから、受皿の外観形状に制約が加えられることがなく自由なデザイン設計が行なえる。
【００３１】
請求項２については次のような効果を有する。
▲１▼灰皿部を載置台上面に着脱自在に取着できることから、灰皿保持部材を含め灰皿の自由なデザイン設計が行なえる。
▲２▼また、請求項１で生ずる前記▲１▼，▲２▼，▲３▼の効果も同等に有することは勿論である。
【図面の簡単な説明】
【図１】本発明が適用されるパチンコ遊技機の要部の斜視図。
【図２】同灰皿を分解して示す要部の拡大斜視図。
【図３】灰皿使用可能状態を示す要部の側面断面図。
【図４】灰皿使用不能状態を示す要部の側面断面図。
【図５】灰皿収容凹部を示す受皿の正面図。
【図６】載置台の平面図。
【図７】他の実施の形態に係る灰皿使用可能状態を示す要部の側面断面図。
【図８】同灰皿使用不能状態を示す要部の側面断面図。
【図９】他の実施の形態に係る灰皿使用可能状態を示す要部の側面断面図。
【図１０】同灰皿使用不能状態を示す要部の側面断面図。
【図１１】他の実施の形態に係る灰皿使用可能状態を示す要部の側面断面図。
【図１２】同灰皿使用不能状態を示す要部の側面断面図。
【図１３】他の実施の形態に係るパチンコ遊技機であって、灰皿を分解して示す要部の拡大斜視図。
【符号の説明】
６        受皿
８        灰皿収容凹部
９        灰皿
１０      灰皿部
１１      載置台
Ａ，Ｂ    パチンコ遊技機
【図１】
0003883639.tif 000002
【図２】
0003883639.tif 000003
【図３】
0003883639.tif 000004
【図４】
0003883639.tif 000005
【図５】
0003883639.tif 000006
【図６】
0003883639.tif 000007
【図７】
0003883639.tif 000008
【図８】
0003883639.tif 000009
【図９】
0003883639.tif 000010
【図１０】
0003883639.tif 000011
【図１１】
0003883639.tif 000012
【図１２】
0003883639.tif 000013
【図１３】
0003883639.tif 000014